(57)【特許請求の範囲】
【請求項１】
コンテンツを端末に提供する方法において、
ネットワークを介してユーザの端末にコンテンツを提供するステップと、
前記コンテンツを提供している端末に対して、状況変換が発生したか否かを探索するステップと、
前記ネットワークに状況変換が発生したか否かを判断するステップと、
前記状況変換が発生した場合、前記状況変換に応じてコンテンツを変換するステップと、
前記変換されたコンテンツを提供するステップと、
前記状況変換が発生したか否かを探索するステップは、予め定められた周期で探索するステップとを含み、
前記端末に前記状況変換が発生したか否かを判断するステップは、
すでに格納された第１端末のプロファイル情報と前記コンテンツを提供している第２端末のプロファイル情報とが一致するか否かを判断するステップと、
前記第１端末のプロファイル情報と前記第２端末のプロファイル情報とが一致しなければ、前記第１端末から前記第２端末に端末の変更が発生したものと判断するステップを含み、
前記ネットワークに前記状況変換が発生したか否かを判断するステップは、
すでに格納された第１ネットワークのプロファイル情報と前記コンテンツを提供している端末が接続されたネットワークである第２ネットワークのプロファイル情報とが一致するか否かを判断するステップと、
前記第１ネットワークのプロファイル情報と前記第２ネットワークのプロファイル情報とが一致しなければ、前記第１ネットワークから前記第２ネットワークにネットワークの変更が発生したものと判断するステップとを含み、
前記端末のコンテンツを変換するステップは、
前記第１端末を使用するユーザが前記第２端末を使用するという端末の変更が発生した場合、前記ユーザの変更された前記第２端末のユーザのＩＤ、登録サービス名を含むユーザプロファイル情報、当該端末に関するハードウェア関連情報を含むデバイスプロファイル情報に基づいて前記コンテンツ変換し、
前記ネットワークのコンテンツを変換するステップは、
前記端末が接続する前記第２ネットワークが変更されるというネットワーク変更が発生した場合、前記変更された前記第２ネットワークのタイプおよび前記ネットワークの状態情報を含むプロファイル情報に応じてコンテンツを変換し、
前記コンテンツを変換するステップは、
前記端末に変換されたコンテンツを提供することを特徴とするコンテンツ変換処理方法。
【請求項２】
端末からコンテンツを連続的に受信するための動作要請を受信するステップと、
前記動作要請をした端末の情報を格納して登録するステップと、
前記コンテンツを変換する動作中に登録された前記端末から解除要請があるか否かを判
断するステップと、
前記解除要請した端末の情報を削除するステップとをさらに含むことを特徴とする請求
項１に記載のコンテンツ変換処理方法。
【請求項３】
端末と、前記端末にコンテンツを提供するネットワークの、各々のプロファイル情報を管理するプロファイル管理部と、
前記コンテンツを提供している前記端末に対して状況変換が発生したか否かを、前記プロファイル管理部を介して予め定められた周期で探索する状況変換自動探索部と、
前記状況変換に対応してコンテンツを変換し、変換されたコンテンツを変更された前記端末に提供したり、変更された前記ネットワークを介して前記端末に提供するコンテンツ変換処理部とを含むコンテンツ変換システムにおいて、
前記コンテンツ変換処理部は、
前記端末を使用するユーザが他の端末を使用するという端末の変更が発生した場合、前記プロファイル管理部が管理する、前記ユーザの変更された端末のユーザのＩＤ、登録サービス名を含むユーザプロファイル情報、当該端末に関するハードウェア関連情報を含むデバイスプロファイル情報に応じてコンテンツを変換し、
前記端末が接続する前記ネットワークが変更されるというネットワーク変更が発生した場合、前記プロファイル管理部が管理する、前記変更されたネットワークのタイプおよび前記ネットワークの状態情報を含むネットワークプロファイル情報に応じてコンテンツを変換することを特徴とするコンテンツ変換システム。
【発明の詳細な説明】
【技術分野】
【０００１】
本発明は、ブラウザ（ｂｒｏｗｓｅｒ）ベースのコンテンツ変換システムおよびその処理方法に関する。
【背景技術】
【０００２】
多数のユーザは、それぞれブラウザが搭載された端末を用いて、多様なネットワークを介してウェブシステムにアクセスする。ここで、端末は、モバイル端末（ｍｏｂｉｌｅ  ｔｅｒｍｉｎａｌ）、ＰＤＡ（Ｐｅｒｓｏｎａｌ  Ｄｉｇｉｔａｌ  Ａｓｓｉｓｔａｎｃｅ）、ＰＣ（Ｐｅｒｓｏｎａｌ  Ｃｏｍｐｕｔｅｒ）、ＴＶ（Ｔｅｌｅｖｉｓｉｏｎ）、家電製品および独立デバイスなどが相当し、ブラウザが各々の端末で動作する。
【０００３】
一般的に、端末は、ウェブシステムに接続してコンテンツ（ｃｏｎｔｅｎｔ）を受ける。この時、ウェブサーバシステムは、コンテンツの形式を変換して端末に提供する。ウェブから提供されるコンテンツは、大体、端末で直接見ることができない。これは、コンテンツが端末に表現されるにしては大きなデータ量を有していたり、表現できない形式または音声ファイル、フラッシュのようなマルチメディア情報などの多様な形態からなっているからである。
【０００４】
このように、従来は、ウェブサーバシステムが、接続された端末に形式を変換してコンテンツを提供していた。反面、ユーザが使用する端末を変更したり、端末のネットワーク環境を変更した場合、ウェブサーバシステムは、接続された端末に変換されたコンテンツを提供するのに困難があった。つまり、ユーザが端末およびネットワークの環境が変更される状況に対応して、ウェブ情報サービスを難なく受けるためのコンテンツ変換過程が必要になる。
【０００５】
このような背景技術に記載された上記の事項は、単に、本発明の背景技術に対する理解を得るためのものであり、当業者に公知の従来技術を形成しない情報も含む。
【先行技術文献】
【特許文献】
【０００６】
【特許文献１】米国特許出願公開第２００６／０１９０９７４号
【発明の概要】
【発明が解決しようとする課題】
【０００７】
本発明が解決しようとする技術的課題は、端末またはネットワークの環境の変化に対応するコンテンツを変換して提供するコンテンツ変換システムおよびその処理方法を提供することである。
【課題を解決するための手段】
【０００８】
本発明の一特徴によれば、コンテンツを端末に提供する方法において、ネットワークを介してユーザの端末にコンテンツを提供するステップと、前記コンテンツを提供している端末に対して、状況変換が発生したか否かを探索するステップと、前記ネットワークに状況変換が発生したか否かを判断するステップと、前記状況変換が発生した場合、前記状況変換に応じてコンテンツを変換するステップと、前記変換されたコンテンツを提供するステップとを含み、前記状況変換が発生したか否かを探索するステップは、予め定められた周期で探索するステップを含み、前記端末に前記状況変換が発生したか否かを判断するステップは、すでに格納された第１端末のプロファイル情報と前記コンテンツを提供している第２端末のプロファイル情報とが一致するか否かを判断するステップと、前記第１端末のプロファイル情報と前記第２端末のプロファイル情報とが一致しなければ、前記第１端末から前記第２端末に端末の変更が発生したものと判断するステップとを含み、前記ネットワークに前記状況変換が発生したか否かを判断するステップは、すでに格納された第１ネットワークのプロファイル情報と前記コンテンツを提供している端末が接続されたネットワークである第２ネットワークのプロファイル情報とが一致するか否かを判断するステップと、前記第１ネットワークのプロファイル情報と前記第２ネットワークのプロファイル情報とが一致しなければ、前記第１ネットワークから前記第２ネットワークにネットワークの変更が発生したものと判断するステップとをさらに含む、ことを特徴とする。
【０００９】
本発明の他の特徴によれば、端末と、前記端末にコンテンツを提供するネットワークの、各々のプロファイル情報を管理するプロファイル管理部と、前記コンテンツを提供している前記端末に対して状況変換が発生したか否かを、前記プロファイル管理部を介して予め定められた周期で探索する状況変換自動探索部と、前記状況変換に対応してコンテンツを変換し、変換されたコンテンツを変更された前記端末に提供したり、変更された前記ネットワークを介して前記端末に提供するコンテンツ変換処理部とを含むことを特徴とする。
【発明の効果】
【００１０】
本発明の実施形態によれば、一人のユーザが複数の端末を用いてウェブシステムから同一のコンテンツを受けることができる。また、１つの端末を使用するユーザがネットワークを変更してウェブシステムに接続しても、ウェブシステムから同一のコンテンツを受けることができる。
【図面の簡単な説明】
【００１１】
【図１】本発明の実施形態にかかるコンテンツ変換を提供する環境の一例を示す図である。
【図２】図１のコンテンツ変換システムおよびプロファイル装置を概略的に示すブロック図である。
【図３】本発明の実施形態にかかる端末の登録および解除手順を示すフローチャートである。
【図４】本発明の実施形態にかかるコンテンツ変換手順を示すフローチャートである。
【発明を実施するための形態】
【００１２】
以下、添付した図面を参照して、本発明の実施形態について、本発明の属する技術分野における通常の知識を有する者が容易に実施できるように詳細に説明する。しかし、本発明は、様々な異なる形態で実現可能であり、ここで説明する実施形態に限定されない。そして、図面において、本発明を明確に説明するために説明と関係ない部分は省略しており、明細書全体にわたり、類似の部分については類似の図面符号を付した。
【００１３】
明細書全体において、ある部分がある構成要素を「含む」とする時、これは、特に反対となる記載がない限り、他の構成要素を除外するのではなく、他の構成要素をさらに含むことができることを意味する。また、明細書に記載された「部（ｕｎｉｔ）」、「装置（ｄｅｖｉｃｅ）」、「モジュール（ｍｏｄｕｌｅ）」などの用語は、少なくとも１つの機能や動作を処理する単位を意味し、これは、ハードウェアやソフトウェア、またはハードウェアおよびソフトウェアの結合により実現可能である。
【００１４】
本明細書において、端末（ｔｅｒｍｉｎａｌ）は、移動局（Ｍｏｂｉｌｅ  Ｓｔａｔｉｏｎ、ＭＳ）、移動端末（Ｍｏｂｉｌｅ  Ｔｅｒｍｉｎａｌ、ＭＴ）、加入者局（Ｓｕｂｓｃｒｉｂｅｒ  Ｓｔａｔｉｏｎ、ＳＳ）、携帯加入者局（Ｐｏｒｔａｂｌｅ  Ｓｕｂｓｃｒｉｂｅｒ  Ｓｔａｔｉｏｎ、ＰＳＳ）、ユーザ装置（Ｕｓｅｒ  Ｅｑｕｉｐｍｅｎｔ、ＵＥ）、アクセス端末（Ａｃｃｅｓｓ  Ｔｅｒｍｉｎａｌ、ＡＴ）などを称することもでき、移動局、移動端末、加入者局、携帯加入者局、ユーザ装置、アクセス端末などのすべてまたは一部の機能を含むこともできる。
【００１５】
以下、本発明の実施形態にかかるコンテンツ変換システムおよびその処理方法について、添付した図面を参照して詳細に説明する。
【００１６】
図１は、本発明の実施形態にかかるコンテンツ変換を提供する環境の一例を示す図である。
【００１７】
図１に示すように、本発明が適用される一例にかかるコンテンツ変換を提供する環境は、複数の端末１００と、ネットワーク２００と、コンテンツ変換システム３００と、プロファイル装置４００とを含む。
【００１８】
複数の端末１００は、それぞれブラウザ（図示せず）を含み、ネットワーク２００を介してコンテンツ変換システム３００にアクセスする。複数の端末１００は、それぞれブラウザが動作するモバイル端末、ＰＤＡ、ＰＣ、ＴＶ、家電製品および独立デバイスの形態であり得るが、これらに限定されない。
【００１９】
複数の端末１００は、途切れのない、つまり、連続的に変換されたコンテンツを受けるために、コンテンツ変換システム３００に使用のための登録要請をする。また、複数の端末１００は、連続的に提供されているコンテンツ変換過程を中止するために、コンテンツ変換システム３００に解除要請をする。
【００２０】
ネットワーク２００は、無線ＬＡＮ、セルラー網、ＣＤＭＡ、ＷＣＤＭＡ、放送網（ＣＡＴＶなど）およびインターネットなど、多様な形態の網であり得、複数の端末１００とコンテンツ変換システム３００とを接続させる。
【００２１】
コンテンツ変換システム３００は、端末の状況変換情報を把握し、状況変換情報に応じて、コンテンツを端末が含むブラウザ環境に対応して変換して連続提供する。端末の状況変換情報は、ユーザの端末の変更または端末のネットワーク変更に相当する情報である。例えば、端末の変更に応じた状況情報の変動は、一人のユーザが、複数の端末１００のうち、ＰＣおよび携帯電話で同一のサービスに接続する時、ユーザがＰＣから携帯電話に端末を変更した場合、このような端末の変更に応じた情報である。また、ネットワークの変更に応じた状況変換情報は、無線ＬＡＮ機能とセルラー機能を提供する１つの端末を使用するユーザが、無線ＬＡＮを介してサービスを受けていたが、セルラー網を介してサービスを受けようとする場合、このようなネットワーク変更に対応する情報である。
【００２２】
コンテンツ変換システム３００は、プロファイル装置４００に連動してプロファイル装置４００内の情報を管理し、プロファイル装置４００を含むことができる。本発明の実施形態にかかるコンテンツ変換システム３００は、プロファイル装置４００を含まないものと示したが、これに限定されない。
【００２３】
次に、本発明の実施形態にかかるコンテンツ変換システム３００およびプロファイル装置４００を、図２を参照して詳細に説明する。
【００２４】
図２は、図１のコンテンツ変換システムおよびプロファイル装置を概略的に示すブロック図である。
【００２５】
図２に示すように、コンテンツ変換システム３００は、状況変換自動探索部３１０と、プロファイル管理部３２０と、コンテンツ変換処理部３３０とを含む。
【００２６】
まず、状況変換自動探索部３１０は、動作中に端末の状況変換を探索し、探索結果に対応する変換をコンテンツ変換処理部３３０に要請する。具体的には、状況変換自動探索部３１０は、複数の端末１００のうち、ユーザの端末の変更または端末のネットワーク変更に相当する状況変換を所定の周期で探索する。
【００２７】
状況変換自動探索部３１０は、探索した状況変換情報を比較するために、プロファイル管理部３２０が管理するプロファイル装置４００にプロファイル情報を要請する。ここで、要請したプロファイル情報は、端末の状況変換情報を把握するためのものであり、端末の状況が変換される前のプロファイル情報である。
【００２８】
より具体的に説明すると、一人のユーザが、複数の端末１００のうち、第１端末を使用している途中に第２端末に変更した場合、状況変換自動探索部３１０は、第１端末および第２端末から解除要請および登録要請に対応する処理メッセージを連続的に受信し、受信した処理メッセージに基づいて端末変更に応じた状況変換を探索する。例えば、ユーザ登録された第１端末を用いてコンテンツを受けていたが、第２端末によりコンテンツを受けようとする場合、第１端末は解除要請処理メッセージを送信し、第２端末は登録要請処理メッセージを送信する。状況変換自動探索部３１０は、第１端末から解除要請処理メッセージを受信した後に第２端末から登録要請処理メッセージを受信すると、現在、ユーザが使用する端末が第１端末から第２端末に変更されたものと判断する。この時、状況変換自動探索部３１０は、受信した解除要請処理メッセージおよび登録要請処理メッセージに基づいて第１端末および第２端末別のプロファイル情報をプロファイル管理部３２０から受信し、第１端末から第２端末に変更されたものと判断する。
【００２９】
また、一人のユーザが使用する１つの端末が接続した無線ＬＡＮを使用している途中にセルラー網に変更した場合、状況変換自動探索部３１０は、端末が接続した無線ＬＡＮまたはセルラー網のプロファイル情報、つまり、接続装置に関連する識別番号をプロファイル管理部３２０から受信し、無線ＬＡＮからセルラー網に端末のネットワーク変更に応じた状況が変更されたものと判断する。
【００３０】
すると、状況変換自動探索部３１０は、端末変更または端末のネットワーク変更に応じた状況変換に対応してコンテンツを変換するコンテンツ変換処理要請メッセージをコンテンツ変換処理部３３０に送信する。
【００３１】
このような状況変換自動探索部３１０は、プロファイル管理部３２０およびコンテンツ変換処理部３３０に連携して動作する。
【００３２】
プロファイル管理部３２０は、ユーザ、複数の端末１００、およびネットワーク２００の状況変換に対応するプロファイルを管理し、プロファイル装置４００を制御する。また、プロファイル管理部３２０は、要請したプロファイル情報を状況変換自動探索部３１０に伝送する。ここで、プロファイル情報は、ユーザのプロファイル情報、デバイスプロファイル情報、ネットワークプロファイル情報を含む。
【００３３】
コンテンツ変換処理部３３０は、複数の端末１００およびネットワーク２００の変動された状況に対応してコンテンツを連続的に変換する。また、コンテンツ変換処理部３３０は、変換処理されたコンテンツの状態情報を格納し、他の端末でコンテンツを連続的に再生できるようにする。ここで、変換処理されたコンテンツの情報は、前のコンテンツから変換されたコンテンツの情報であって、コンテンツが変換されて出力される画面のサイズ、オーディオ／ビデオの変換された情報である。
【００３４】
プロファイル装置４００は、ユーザプロファイル情報部４１０と、デバイスプロファイル情報部４２０と、ネットワークプロファイル情報部４３０とを含む。
【００３５】
ユーザプロファイル情報部４１０は、ユーザのプロファイル情報、つまり、ユーザＩＤ、登録サービス名を格納する。
【００３６】
デバイスプロファイル情報部４２０は、デバイスプロファイル情報を格納し、デバイスプロファイル情報に端末別のハードウェア（ｈａｒｄｗａｒｅ、Ｈ／Ｗ）関連情報を含み、例えば、メモリ、画面サイズ、ＣＰＵ仕様を格納する。特に、デバイスプロファイル情報には、例えば、ユーザＩＤに対応して端末別のハードウェア関連情報が格納され、当該ユーザが使用する端末がどのようなものであるかを示すことができる。
【００３７】
ネットワークプロファイル情報部４３０は、ネットワークプロファイル情報を格納し、例えば、ネットワークタイプ（例えば、無線ＬＡＮ、ＣＤＭＡ、Ｗｉｂｒｏ）およびネットワーク状態情報を格納する。このようなネットワークプロファイル情報には、ユーザＩＤまたは当該ユーザが使用する端末の識別番号などに対応してネットワークタイプおよびネットワーク状態情報が格納され、現在、ユーザが使用する端末がどのネットワークを介して接続されているかを示すことができる。
【００３８】
次に、本発明の実施形態により連続的にコンテンツを提供するために要求される端末の登録および解除手順を、図３を参照して詳細に説明する。
【００３９】
図３は、本発明の実施形態にかかる端末の登録および解除手順を示すフローチャートである。
【００４０】
図３に示すように、複数の端末１００のうち１つの端末において、ブラウザが動作する（Ｓ１０１）。すると、１つの端末は、コンテンツ変換システム３００から連続的に変換されたコンテンツを受信できるように、モードセット要請のための処理モードメッセージをコンテンツ変換システム３００に伝達し、コンテンツ変換システム３００を連続的な動作要請処理モードにセットする（Ｓ１０２）。
【００４１】
コンテンツ変換システム３００は、動作要請をした端末を登録し、登録された当該端末に関するユーザのプロファイル情報、端末のプロファイル情報をプロファイル装置４００に格納して管理する（Ｓ１０３）。
【００４２】
コンテンツ変換システム３００は、登録された端末の状況変換情報に対応するコンテンツをブラウザ環境に対応して変換する動作を開始する（Ｓ１０４）。また、コンテンツ変換システム３００は、変換処理されたコンテンツの状態情報を格納する。
【００４３】
変換処理動作を行っている間、コンテンツ変換システム３００は、登録された端末から動作処理解除要請があるか否かを判断する（Ｓ１０５）。
【００４４】
判断の結果、動作処理解除要請が入ると、コンテンツ変換システム３００は、プロファイル装置４００を制御して、動作処理解除を要請した端末の情報を削除する（Ｓ１０６）。ここで、削除される端末の情報は、解除要請した端末の変換処理されたコンテンツの状態情報と、端末のプロファイル情報、つまり、端末別のハードウェア関連情報、端末のネットワークタイプおよびネットワーク状態情報を含む。
【００４５】
反面、動作処理解除要請がなければ、コンテンツ変換システム３００は、連続的に端末の状況変換情報に対応するコンテンツを変換する動作を行う（Ｓ１０７）。
【００４６】
次に、端末の状況が変換される環境におけるコンテンツ変換過程を、図４を参照して詳細に説明する。
【００４７】
図４は、本発明の実施形態にかかるコンテンツ変換手順を示すフローチャートである。
【００４８】
ここでは、本発明の実施形態にかかるコンテンツ変換システム３００において、複数の端末１００のうち、第１端末１１０および第２端末１２０を例として、コンテンツ変換過程を説明する。
【００４９】
まず、図４に示すように、第１端末１１０は、連続的にコンテンツを受けるために、第１登録要請メッセージを状況変換自動探索部３１０に伝送して登録要請をする（Ｓ２０１）。このような登録要請に応じて、第１端末１１０に関するユーザプロファイル情報、端末プロファイル情報がプロファイル装置４００に格納されて管理される。次に、コンテンツ変換システム３００は、第１端末１１０のプロファイル情報に応じてコンテンツを変換し、変換されたコンテンツを第１端末１１０に連続的に提供する。
【００５０】
第１端末１１０にコンテンツを提供しながら、状況変換自動探索部３１０は、第１端末１１０および第２端末１２０の状況変換を途切れなく連続的に探索する（Ｓ２０２）。
【００５１】
ユーザが第１端末１１０から第２端末１２０に端末変更をした場合、第２端末１２０は、第２登録要請メッセージを状況変換自動探索部３１０に伝送して登録要請をする（Ｓ２０３）。このような登録要請に応じて、第２端末１２０に関するユーザプロファイル情報、端末プロファイル情報がプロファイル装置４００に格納されて管理される。また、第２端末１２０は、第２登録要請メッセージが含む端末の登録情報を、ＨＴＴＰ（ｈｙｐｅｒｔｅｘｔ  ｔｒａｎｓｆｅｒ  ｐｒｏｔｏｃｏｌ）を介してコンテンツ変換システム３００に伝達する。反面、第１端末１１０は、連続的に提供されている変換済みのコンテンツをコンテンツ変換システム３００から提供されるのを中止するために、コンテンツ変換システム３００との接続を解除する。
【００５２】
状況変換自動探索部３１０は、第１端末１１０ではない、他の端末、つまり、第２端末１２０への端末変更に相当する状況変換を、すでに格納された第１端末１１０のプロファイル情報と第２端末１２０のプロファイル情報とを比較して判断する（Ｓ２０４）。プロファイル情報を比較した結果、状況変換自動探索部３１０は、第１端末１１０のプロファイル情報と第２端末１２０のプロファイル情報とが一致しなければ、ユーザが第１端末１１０から第２端末１２０に端末を変更したものと判断する。本発明の実施形態にかかる状況変換は、ユーザの端末の変更または端末のネットワーク変更に相当する。
【００５３】
ユーザが第１端末１１０から第２端末１２０に端末を変更した場合、状況変換自動探索部３１０は、サービスの提供を第２端末１２０に移す。
【００５４】
次に、状況変換自動探索部３１０は、状況変換に対応する第２端末１２０のプロファイル情報を要請するプロファイル情報要請メッセージをプロファイル管理部３２０に伝送する（Ｓ２０５）。状況変換自動探索部３１０は、第２端末１２０のモデル情報を前記プロファイル情報要請メッセージに含めて伝送し、プロファイル管理部３２０から細部的な第２端末１２０のプロファイル情報を要請する。細部的な第２端末１２０のプロファイル情報は、例えば、画面サイズ、オーディオ／ビデオフォーマット情報のようなハードウェア的な仕様情報である。
【００５５】
プロファイル管理部３２０は、プロファイル情報要請メッセージに対応するプロファイル情報を含むプロファイル情報応答メッセージを状況変換自動探索部３１０に伝送する（Ｓ２０６）。
【００５６】
状況変換自動探索部３１０は、受信したプロファイル情報を用いて、端末の状況変換に対応するコンテンツ変換処理のためにコンテンツ変換処理要請メッセージを生成し、これをコンテンツ変換処理部３３０に伝送する（Ｓ２０７）。この時、コンテンツ変換処理要請メッセージは、端末の状況変換情報を含む。端末の状況変換情報の伝達方法は、ＨＴＴＰを介して伝達する。
【００５７】
コンテンツ変換処理部３３０は、受信したコンテンツ変換処理要請メッセージに対応するようにコンテンツを変換する。例えば、コンテンツ変換処理部３３０は、第１端末１１０と第２端末１２０の画面サイズの差に対応する画面の再構成によりコンテンツを変換する。また、オーディオ／ビデオのフォーマットの差に対応する変換アルゴリズムによりコンテンツを変換する。
【００５８】
コンテンツ変換処理部３３０は、変換が完了したコンテンツを状況変換自動探索部３１０に伝送する（Ｓ２０８）。また、状況変換自動探索部３１０は、コンテンツを第２端末１２０に伝送する（Ｓ２０９）。
【００５９】
したがって、本発明の実施形態は、一人のユーザが、複数の端末を有し、システムに接続してサービスを受ける場合にも、端末別の特性によりコンテンツが変換されて提供されることにより、途切れなく連続的にコンテンツを受けることができる。
【００６０】
図４では、ユーザが第１端末１１０から第２端末１２０に端末変更をする場合について説明したが、本発明の実施形態にかかるコンテンツ変換システムは、異機種網間に１つの端末が移動する場合にも、変更された網に対応する変換されたコンテンツが提供される。本発明の実施形態にかかるコンテンツ変換システム３００において、ユーザが無線ＬＡＮからセルラー網に端末のネットワーク変更をする場合を例として説明する。
【００６１】
１つの端末は、連続的にコンテンツを受けるために、無線ＬＡＮを介して登録要請メッセージを状況変換自動探索部３１０に伝送して登録要請をする。このような登録要請に応じて、端末に関するユーザプロファイル情報、無線ＬＡＮのプロファイル情報、つまり、無線ＬＡＮの接続装置関連識別番号がプロファイル装置４００に格納されて管理される。次に、コンテンツ変換システム３００は、無線ＬＡＮに対応してコンテンツを変換し、変換されたコンテンツを端末に連続的に提供する。
【００６２】
無線ＬＡＮを介して端末にコンテンツを提供している間、状況変換自動探索部３１０は、端末のネットワーク変更に対応する状況変換を途切れなく連続的に探索する。ユーザが無線ＬＡＮからセルラー網に端末のネットワーク変更をした場合、端末は、セルラー網を介して登録要請メッセージを状況変換自動探索部３１０に伝送して登録要請をする。このような登録要請に応じて、端末に関するユーザプロファイル情報、セルラー網のプロファイル情報、つまり、セルラー網の接続装置関連識別番号がプロファイル装置４００に格納されて管理される。
【００６３】
状況変換自動探索部３１０は、無線ＬＡＮではない、セルラー網への端末のネットワーク変更に相当する状況変換を、すでに格納された無線ＬＡＮの接続装置関連識別番号とセルラー網の接続装置関連識別番号とを比較して判断する。識別番号を比較した結果、一致しなければ、状況変換自動探索部３１０は、サービスの提供をセルラー網を介して移す。すると、コンテンツ変換処理部３３０は、変更された網に対応するようにコンテンツを変換して提供する。
【００６４】
したがって、本発明の実施形態にかかるコンテンツ変換システムは、異機種網間に端末が移動する場合にも、端末のネットワーク変更に応じた状況変換情報を探索し、探索結果に応じて、プロファイル情報を受信してコンテンツを変換する過程が、端末変更をした場合に端末の変更に応じた状況変換情報を探索し、探索結果に応じて、プロファイル情報を受信してコンテンツを変換する過程と同一である。
【００６５】
このように、本発明の実施形態にかかるコンテンツ変換システムは、異機種網間に端末が移動する場合、またはユーザが変換されたコンテンツを受けていた端末を他の端末に変更した場合、コンテンツ変換システム側でこの端末の状況変動を自動的に探索し、その結果に応じてコンテンツを変換処理することにより、状況が変更された端末で要求するコンテンツを連続的に支援することができる。
【００６６】
以上で説明した本発明の実施形態は、装置および方法によってのみ実現されるのではなく、本発明の実施形態の構成に対応する機能を実現するプログラムまたはそのプログラムが記録された記録媒体を通しても実現可能であり、このような実現は、前述した実施形態の記載から本発明の属する技術分野における専門家であれば容易に実現できるのである。
【００６７】
以上で本発明の実施形態について詳細に説明したが、本発明の権利範囲は、これに限定されるのではなく、以下の請求の範囲で定義している本発明の基本概念を利用した当業者の様々な変形および改良形態も、本発明の権利範囲に属する。
【図１】
0005555694.tif 000002
【図２】
0005555694.tif 000003
【図３】
0005555694.tif 000004
【図４】
0005555694.tif 000005